(57)【要約】【課題】  紙・布・フィルム・プラスチック・ガラス・金属等の対象物上に滑り防止付き定規を実現することで、正確に、安全に、その持つデザイン性や機能性を損ねることなく、筆記、カットができる定規を得る。【解決手段】  定規が対象物と接する部分に、透明で極めて薄く軽いエラストマーを利用することで、利用者が触れる手の圧力により、対象物との間の摩擦力を高め、ずれにくくし、滑り防止効果とする。【選択図】図５
0003126813.tif 000002
【実用新案登録請求の範囲】
【請求項１】
ウレタンエラストマーまたはシリコーンエラストマーを、定規が対象物と接する滑り防止機能を必要とする面側に積層させることで、密着性や自着性に優れた滑り防止層を有する定規。
【請求項２】
滑り防止層が１０〜７０μｍの厚さであることを特徴とする請求項１記載の定規。
【請求項３】
滑り防止層を、対象物と接する定規の面側に、接着剤や両面テープで積層、またはこれらを用いずに直接積層することを特徴とする請求項１又は請求項２記載の定規。
【請求項４】
滑り防止層を、ウレタンエラストマーまたはシリコーンエラストマー単独ではなく支持基材として利用するフィルムに接着剤を用いて積層、またはこれらを用いずに直接積層した状態のフィルム付き滑り防止層を、接着剤や両面テープを用いて積層することを特徴とする請求項１又は請求項２記載の定規。
【請求項５】
滑り防止層のウレタンエラストマーやシリコーンエラストマーと接着剤や両面テープが光透過性であることを特徴とする請求項３記載の光透過性定規。
【請求項６】
滑り防止層のウレタンエラストマーやシリコーンエラストマーとフィルムと接着剤や両面テープのいずれもが光透過性であることを特徴とする請求項４記載の光透過性定規。
【請求項７】
使用する対象物からの剥離を容易にする為の機構を有する請求項１、請求項２、請求項３、請求項４、請求項５、請求項６記載の定規。
【考案の詳細な説明】
【技術分野】
【０００１】
本考案は、定規を使用する、紙、布、フィルム、プラスチック、ガラス、金属などの対象物との間に生じる滑りにより、既存の定規を使用する目的を達成できない場合に使用可能な定規に関するものである。
【背景技術】
【０００２】
定規は長さの測定に使用されるだけでなく、定規に沿って各種の線を引いたり、カッターで切れ込みを入れたりと、幅広く使用され、その材質も木、プラスチック、金属と多岐にわたる。対象物がプラスチック、金属、ガラスといった物の場合、定規が滑りやすく、長い直線や切れ込みを入れることは非常に難しく、時には定規を固定するために共同作業者を必要とする。
【０００３】
雲形定規を用いて複雑な曲線を描く際、片手で定規を固定し続けることが非常に難しいことは、よく経験するところである。
【０００４】
分度器も精度が高くなるほど大型化し、直径が３０ｃｍ以上といった大型の分度器を使用する場合には、滑りが問題となる場合が多い。
【０００５】
更に又、壁、ガラス戸、襖、塀などのように垂直なものや、傾斜のある対象物の場合には、滑りのために、定規を用いての一人作業ができない場合も多い。
【０００６】
巻尺についても、垂直な円柱状構造物等の周囲長を計測する場合など、途中で巻尺そのものの重さによりゆがみやすく、正しい長さが計測しづらい場合がある。
【０００７】
本考案はこうした滑りを防止した定規に関するものであるが、これまでにも各種の提案がなされてきた。
【特許文献１】実開昭４８−０３３４４６号公報
【特許文献２】実開昭５４−０４５６４４号公報
【特許文献３】実開昭５７−０８８５９２号公報
【特許文献４】実開昭６０−０３８７９２号公報
【特許文献５】実開昭６２−１６２０９０号公報
【特許文献６】実登３１１１６８５号
【考案の開示】
【考案が解決しようとする課題】
【０００８】
上述した特許文献の考案では滑り防止効果は不十分であり、滑り防止材の劣化や対象物への付着・汚染など、更には滑り防止材表面の摩耗や埃等の汚れ付着による滑り防止性能の低下を来たすため、広く普及するまでには至っていない。
【０００９】
特に垂直、又は７０度以上といった急傾斜でも滑らない定規や分度器は存在しなかったのに加え、この滑り防止効果が巻尺にまで応用できるものもなかった。
【００１０】
本考案は、従来の提案では達成できなかった、高いレベルの滑り防止性能を有し、且つ滑り防止性能の持続性に優れ、光透過性の定規においては光透過性を損ねることのない、定規を提供することにある。
【課題を解決するための手段】
【００１１】
本考案はウレタンエラストマー、シリコーンエラストマーという限定されたエラストマーの持つ、優れた密着性を滑り防止層とすることにより、これまでになかった高いレベルの滑り防止性能を得るものであり、更には多くの利点、特徴を有している。
【００１２】
本考案は、ウレタンエラストマー又はシリコーンエラストマーを滑り防止層に使用することを特徴とし、その優れた滑り防止性能は実施例に示すごとく、軟質樹脂や一般的なゴムでは得ることができない、高いレベルのものである。
【００１３】
本考案ではエラストマーの耐久性や弾力性を考え、１０μｍより薄くなると、耐久性が損なわれる問題が発生し、７０μｍより厚くなると弾力性ゆえにぶれが生じやすいため、最も精密な計測や描画や切り出し精度を考え、また目視で滑り防止層存在の感知をほとんど感じさせず、違和感なく定規を使用することができる１０〜７０μｍの厚さを実現できたことで、滑り防止性能を有する定規としてのレベルを高めることができた。
【００１４】
滑り防止層としてのウレタンエラストマー又はシリコーンエラストマーを接着剤や両面テープを用いて積層させることで、既存の定規に容易に応用実施可能なことが本考案の実用性を高めている。
【００１５】
また、定規本体に接着剤を使わずに積層させることも可能なので、この方法で積層した場合、滑り防止層が剥がれる不安を取り除くことが出来る。
【００１６】
滑り防止層としてのウレタンエラストマー又はシリコーンエラストマーを単独で直接定規本体に積層させることなく、支持基材としてポリエステルのフィルムを利用することで、更に取り扱いやすさを高めることが出来る。
【００１７】
支持基材としてのフィルムは、光透過性、取扱性、操作性の問題から、２００μｍ以下が望ましく、強度と、取扱性の問題から３０μｍ以上が望ましいが、本考案ではこの厚さのフィルムを利用することに成功したことから、支持基材としてフィルムを利用する場合の問題を解決することができた。
【００１８】
本考案を実現させるために利用した、滑り防止層、フィルム、接着剤のいずれもが光透過性で、その積層した状態が最も多い、滑り防止層、接着剤、フィルム、接着剤の４層時でさえも、光線透過率９０％を実現できたことで、定規本来の持つ機能性を、ほとんど損ねることなく、滑り防止性能を持たせることに成功できたため、本考案の応用実用範囲を大きく広げることに成功した。
【００１９】
非常に強力な密着性ゆえに、対象物が鏡面状の場合、対象物から本考案の定規を剥がしにくくなることもあるが、そのような時のことを考え、剥離を容易にする補助具や、補助機構を備えることで、密着強度の問題も解決することが出来た。
【００２０】
滑り防止性能を発揮する物質として、温度湿度に強く実生活で使われやすい溶剤等にも強く、耐用年数が長いウレタンエラストマーまたはシリコーンエラストマーを実用できたことで、既知の考案や発明で払拭されなかった不安としての、糊残りや変質や性能の低下を一気に解決できた。
【考案の効果】
【００２１】
本考案者らは、滑り防止層を、密着性に優れた滑り防止層と表現しているが、その表現根拠及びその効果、利点について、特に述べる必要がある。
【００２２】
本考案のうち定規は、ガラス、金属、プラスチック等の平滑面を有する対象物に押しあてる、即ち圧着すると、定規が通常市販されている一般的重量の範囲であれば、垂直に近い急勾配であっても滑らないだけではなく、９０度以上に傾けても、時には逆さまにしても落下しないからである。
【００２３】
接着剤や粘着剤を用いることなく、上記のように落下現象が起きないことから、密着性や自着性に優れた滑り防止層と表現したものである。
【００２４】
実施例では、直定規や三角定規を参考にしているが、本考案の応用できる範囲は非常に広く、定規と構造的に同じと考えられる分度器や雲形定規にも適用でき、わずかなずれでも計測結果や曲線描画に影響を与えかねないこのような特殊定規への利用にも優れた効果を発揮する。
【００２５】
単に滑らないだけでなく、このように優れた密着性を有することにより、本考案の定規は、壁といった垂直対象物のみならず、天井、蛍光灯や火災報知器等の天井設備を対象とする作業にも有効である。
【００２６】
また巻尺にさえも応用でき、滑りやすい球状物体の計測時や、円柱状構造物の計測時にも、巻尺の途中がずれて、本来計測すべき線分上からずれることの防止に、非常に大きな効果をもたらすものである。
【００２７】
本考案の滑り防止層、即ちウレタンエラストマー又はシリコーンエラストマー層は、表面に塵や埃が付着しても水洗や水拭き等により除去することで滑り防止性能低下の防止、又は回復をはかることができる。
【００２８】
また、ウレタンエラストマー又はシリコーンエラストマーは接着剤ではないことから、一般的に販売されているセロファンテープやガムテープなどの粘着テープの接着面と接着してしまうことがないことを利用して、本考案の滑り防止層に付着した塵や埃だけを粘着テープの接着面に付着させ、簡単に取り除くことができ、滑り防止性能低下の防止、又は回復をはかることができる。
【００２９】
ウレタンエラストマー滑り防止層とシリコーンエラストマー滑り防止層とを比較した場合、シリコーンエラストマー層の方が、表面に所謂サラサラ感触があり、実用上、より好ましい。
【００３０】
優れた密着性を有することは説明したが、接着剤を使っていないため、本考案定規の角の部分や、図６図７図８にもあるように、限られた箇所に剥離のきっかけを与えることで、同時に極めて軽い剥離性も有し、問題となる対象物への糊残りや、その他対象物へ与える悪影響もほとんどない。
【００３１】
本考案における滑り防止層は、定規に直接積層構造とする場合もあるが、ポリエステルフィルムのような支持基材に積層後、接着剤又は両面テープを用いて定規又は分度器に積層して利用することもできる。
【００３２】
後者の場合、ハサミやカッターを用いて任意の形状、サイズのフィルム付き滑り防止層が成形できる一方、接着剤を用いた場合には適当な溶剤で接着剤を溶かすことで、又、両面テープを用いた場合には手で滑り防止層を剥がすことができ、通常の滑り性のある定規として使用することも可能であるという利点がある。
【考案を実施するための最良の形態】
【００３３】
特に文房具として扱われている小型の定規の多くは、アクリル樹脂といった透明樹脂が用いられ、必要に応じて着色がなされている。こうした場合、本考案のウレタンエラストマー又はシリコーンエラストマー使用の滑り防止層、ポリエステルフィルム、接着剤等も光透過性のある無色又はカラー品が一般に使用される。
【００３４】
本考案におけるウレタンエラストマー又はシリコーンエラストマー使用の滑り防止層は、目視ではその厚さが判別しにくい１ｍｍ以下といった厚みでも十分な滑り防止性能を発揮する。
【００３５】
しかし、１０μｍより薄くなると、耐久性が損なわれる問題が発生し、７０μｍより厚くなると、エラストマーの弾力性が精密な計測や切り出し精度に、ぶれを生じさせる原因又は全光線透過率の低下の原因にもなることから、目視で滑り防止層存在の感知が難しく、違和感なく定規を使用することができる１０〜７０μｍの範囲のもが望ましい。
【００３６】
この厚さの範囲でのエラストマーは、優れた光透過性も発揮し、本考案では９０％以上の全光線透過率を得ることが出来るため、定規本体の持つ性質を損なうことなく滑り防止性能を付与することが出来る。
【００３７】
本考案の滑り防止層は、滑り防止性能に優れるだけでなく、密着性にも優れることは前に述べた通りであるが、その余りにも優れた密着性の点から、定規を対象物から剥離することが困難となる場合があり、こうした場合、滑り防止層の使用量、即ち層の面積を減らすことで解決できるが、その都度対象物に応じて滑り防止層の面積量を変えることは実際上困難である。
【００３８】
こうした場合には、定規や分度器に剥離用のつまみを付けたり、穴を開けて紐や鎖を取り付けるのが一般的であるが、大型定規の場合には取っ手を付けることもある。
【実施例】
【００３９】
図１は定規に滑り防止機能を持つエラストマーを接着させた状態の側面図で、図３は定規に符合の説明７にあるように滑り防止フィルムを接着させた状態の側面図、これを図５のように対象物の上に置くことで、定規に沿って線分を引くことや、カットの操作が今までより安全に容易に正確に実行できる効果がある。
【００４０】
非常に優れた密着性を有する本考案の定規を、対象物から剥離する時に更に使いやすくするために、図６のように定規に空けた穴に紐や鎖を通して、対象物と密着した状態から容易に剥離することを実現することもでき、また図７のようにつまみをつけるか、図８のようにくぼみをつけても良い。
【００４１】
実際に本考案の効果を検証する為に、直定規、分度器、三角定規、巻尺で実験したところ、本考案を施す以前の物と比較して、非常に弱い力の押圧でもぶれることが無いために、正確に線分が引け、カッターナイフ等ではより安全にカットでき、計測作業も、より精度を高めることが実現できたうえ、窓ガラスの装飾用に正確な位置を計測するために、垂直な場所でも簡単に定規が落ちることなく、問題なく使うことができた。
【産業上の利用可能性】
【００４２】
滑り防止効果にウレタンエラストマー又はシリコーンエラストマーを利用したことで、薄く軽く透明に近いものとなり耐久性も向上し、定規を追加工する必要もなく、また支持基材を利用した方法では定規本体の製造工程を追加変更することなく、容易に既存の定規にも応用できる。
【００４３】
本考案が、支持基材としてフィルムを利用した場合でも、２００μｍ以下と非常に薄くすることも可能なことから、対象物が平面でなく緩やかな凹凸のあるものでも、定規そのものに柔軟性があり、その対象物に対応できるならば、そのような定規にも問題なく本考案を利用することができ、巻尺にも当然応用することができる点をも考えると、実用上あらゆる物に利用できる滑り防止層付き製品として、産業上の利用の可能性が非常に高い。
【００４４】
今まで数ある発明や考案で提案された滑り止め効果のある定規は、それぞれいくつかの解決されない問題点を含んでいたが、本考案においては、それらのどの考案の抱える問題点をも解決又は問題のないレベルにまで低減させ、十分実用に供される内容を実現でき、広く社会に貢献できる内容となっている。
【図面の簡単な説明】
【００４５】
【図１】エラストマー層を定規本体に接着剤で接着させた時の側面図である。
【図２】エラストマー層を定規本体に直接積層させた時の側面図である。
【図３】エラストマー層の支持基材としてフィルムを用い、エラストマー層とフィルムを接着剤で接着し、それを接着剤又は両面テープで定規本体に接着させた時の側面図である。
【図４】エラストマー層の支持基材としてフィルムを用い、エラストマー層とフィルムを直接積層し、それを接着剤又は両面テープで定規本体に接着させた時の側面図である。
【図５】滑り防止機能を有する目盛りつき直定規を参考に、対象物の上に置いた状態の斜視図である。
【図６】直定規を参考に、定規に空けた穴に紐等を利用して、対象物と密着した状態から容易に剥離することを実現するための補助具使用の例のみを説明した図である。
【図７】直定規を参考に、つまみをつけて対象物と密着した状態から容易に剥離することを実現するための補助具使用の例のみを説明した図である。
【図８】直定規を参考に、くぼみをつけて対象物と密着した状態から容易に剥離することを実現するための補助構造を備える例のみを説明した図である。
【符号の説明】
【００４６】
１・・・定規本体。
２・・・定規本体とエラストマー層を接着させる接着剤層部分。
３・・・エラストマーからなる滑り防止層部分。
４・・・定規本体とフィルムを接着させる接着剤層又は両面テープ層部分。
５・・・フィルム基材部分。
６・・・滑り防止層部分とフィルム基材を接着させる接着剤層部分。
７・・・図３における３、４、５、６や図４における３、４、５は目視では層の識別が不可能なほど薄いため、この４層又は３層をあわせて、滑り防止フィルムと表現する部分。
８・・・滑り防止付き定規を乗せて使う対象物。
９・・・剥離用補助具取り付け用としての穴付き直定規本体。
１０・・・剥離用補助具を取り付けるための穴。
１１・・・剥離用補助具（紐、鎖等）。
１２・・・剥離用補助具としてのつまみ付き直定規本体。
１３・・・剥離用補助具（つまみ、取っ手等）。
１４・・・剥離用補助構造としてのくぼみ付き直定規本体。
１５・・・剥離用補助構造（くぼみ、引っ掛かり等）
１６・・・目盛り付き直定規本体
【図１】
0003126813.tif 000003
【図２】
0003126813.tif 000004
【図３】
0003126813.tif 000005
【図４】
0003126813.tif 000006
【図５】
0003126813.tif 000007
【図６】
0003126813.tif 000008
【図７】
0003126813.tif 000009
【図８】
0003126813.tif 000010